(57)【要約】【課題】本発明は、鉄筋コンクリート構築物の課題が解決できる梯子状に固定した成型部材で造るコンクリート構築物を提供する。【解決手段】板材1の板面に蟻溝2を設けた成型用板材3の蟻溝2に、両端に蟻ホゾ4加工した複数の壁用板セパ5を差し込み、梯子状に組固定して成る梯子状の壁成型部材6、該梯子状の壁成型部材6を用いて組積固定して成る壁躯体Aの上に、間隔を開けて並置した2枚の成型用板材3の蟻溝2に、両端に蟻ホゾ4加工した複数の床盤用板セパ7を均等間隔に差し込み、梯子状に組固定して成る梯子状の床盤成型部材8、該梯子状の床盤成型部材8と板材1を、交互に並置してビス9を用いて、連結固定して成る床盤躯体Bで構築物の型枠躯体Cを成し、該構築物の型枠躯体C内へ、コンクリート10を打設して無筋コンクリート構築物11を形成する、梯子状に固定した成型部材で造るコンクリート構築物。【選択図】  図1
2020139353.tif 000002
【特許請求の範囲】
【請求項１】
板材の板面に複数のホゾ穴と側面にダボ穴を設けて成る成型用板材、該成型用板材のホゾ穴に、両端にホゾ加工した複数のセパ板のホゾにくさびを添えて接着剤を塗布して差し込み、二枚の成型用板材を梯子状に圧着固定して成る梯子状の成型部材、該梯子状の成型部材のダボ穴にダボ木を用いて組み積して成る壁躯体、該壁躯体の上に、梯子状の成型部材と板材の両側面に複数のダボ穴を設けた床盤連結板を、ダボ木を用いて連結固定した床盤躯体で成る構築物の型枠躯体、該構築物の型枠躯体内へ、コンクリートを打設してコンクリート構築物を造ることを特徴とする、梯子状に固定した成型部材で造るコンクリート構築物。
【請求項２】
前記、請求項１記載の、板材の板面に複数のホゾ穴と側面にダボ穴を設けて成る成型用板材、該成型用板材のホゾ穴に、両端にホゾ加工した複数のセパ板のホゾにくさびを添えて接着剤を塗布して差し込み、二枚の成型用板材を梯子状に圧着固定して成る梯子状の成型部材、該梯子状の成型部材のダボ穴にダボ木を用いて組み積して成る壁躯体、該壁躯体の上に、梯子状の成型部材と板材の両側面に複数のダボ穴を設けた床盤連結板を、ダボ木を用いて連結固定した床盤躯体で成る構築物の型枠躯体、該構築物の型枠躯体内へ、コンクリートを打設することで、コンクリートの凝固によって、構築物の型枠躯体とコンクリートが、一体のコンクリート構築物になることを特徴とする請求項１・2に記載の、梯子状に固定した成型部材で造るコンクリート構築物。
【請求項３】
前記、請求項１記載の、成型用板材の板厚やセパ板の長さを調整することで、コンクリート構築物の強度に対応させることを特徴とする、請求項１〜3に記載の梯子状に固定した成型部材で造るコンクリート構築物。
【請求項４】
前記、請求項１記載の、セパ板の固定間隔を調整することで、コンクリート構築物の強度や用途の変更に対応させることを特徴とする、請求項１〜4に記載の梯子状に固定した成型部材で造るコンクリート構築物。
【請求項５】
前記、請求項１記載の、床盤連結板に発砲スチロールを添え貼りすることで、床盤荷重を軽減させることを特徴とする、請求項１〜5に記載の梯子状に固定した成型部材で造るコンクリート構築物。
【発明の詳細な説明】
【技術分野】
【０００１】
本発明は、梯子状に固定した成型部材で造るコンクリート構築物に関する。
【背景技術】
【０００２】
従来のコンクリート構築物は、鉄筋を組んだ型枠内にコンクリートを投入して造る鉄筋コンクリート構築物が支流である。
【０００３】
鉄筋コンクリートの構築物は、ベニヤ型枠を補助桟や仮設材で組固めた型枠躯体内へコンクリートを投入して、コンクリートの凝固後に型枠を解体して鉄筋コンクリート構築物は造られていた。解体したベニヤ型枠や仮設材等は再利用されている。
【０００４】
型枠を解体した、鉄筋コンクリート構築物の外壁は、大半が磁器タイルを貼って仕上げているのが現状である。
【先行技術文献】
【特許文献】
【０００５】
【特許文献１】特許第５３１５４９８号
【０００６】
【非特許文献１】無し
【発明の開示】
【発明が解決しようとする課題】
【０００７】
在来工法の構築物には次の問題があった。
〇鉄筋のかぶり厚で柱や梁の断面が増大してコンクリート荷重が増大する不合理な問題。
〇鉄筋のかぶり厚不足や自然災害等に伴うコンクリートの亀裂による鉄筋の腐食の問題。
〇鉄筋の配筋ミスや配筋不良に伴う強度不足や鉄筋工職人不足等に伴う工期の遅延問題。
〇外壁を磁器タイル貼りで仕上げたコンクリート構築物のタイルが剥離する落下の問題。
〇鉄筋コンクリート構造の最大の問題は複雑な工程に伴う長い工期と高コストな建設費。
【０００８】
近年、鉄筋コンクリート構築物の外壁に貼っている磁器タイルが、タイル貼りモルタルの劣化等によって、タイルが剥離して落下する事例が多く発生している。このタイルの落下問題は深刻で、今後、鉄筋コンクリート構築物の外装仕上げ材の選択は困難である。他方、自動社会に於いて、鉄筋コンクリート構造の建物や高速道路等高架橋の構造疲労や自然災害等に伴う亀裂で鉄筋が腐食する問題は特に深刻である。
【０００９】
本発明は、上記の課題に鑑みて、コンクリート構築物の仕上げ材の剥離問題や鉄筋の腐食問題等上記の問題が解決できる。鉄筋に代わる梯子状の成型部材で構築する構築物の型枠躯体内へコンクリートを打設して造る、梯子状に固定した成型部材で造るコンクリート構築物を提供するものである。
【課題を解決するための手段】
【００１０】
この発明は、上記の課題を解決するためになされたもので、板材の板面に複数のホゾ穴と側面にダボ穴を設けて成る成型用板材、該成型用板材のホゾ穴に、両端にホゾ加工した複数のセパ板のホゾにくさびを添えて接着剤を塗布して差し込み、二枚の成型用板材を梯子状に圧着固定して成る梯子状の成型部材、該梯子状の成型部材のダボ穴にダボ木を用いて組み積して成る壁躯体、該壁躯体の上に、梯子状の成型部材と板材の両側面に複数のダボ穴を設けた床盤連結板を、ダボ木を用いて連結固定した床盤躯体で成る構築物の型枠躯体、該構築物の型枠躯体内へ、コンクリートを打設してコンクリート構築物を造ることを特徴とする、梯子状に固定した成型部材で造るコンクリート構築物（請求項１）を提供する。
【００１１】
前記、請求項１記載の、板材の板面に複数のホゾ穴と側面にダボ穴を設けて成る成型用板材、該成型用板材のホゾ穴に、両端にホゾ加工した複数のセパ板のホゾにくさびを添えて接着剤を塗布して差し込み、二枚の成型用板材を梯子状に圧着固定して成る梯子状の成型部材、該梯子状の成型部材のダボ穴にダボ木を用いて組み積して成る壁躯体、該壁躯体の上に、梯子状の成型部材と板材の両側面に複数のダボ穴を設けた床盤連結板を、ダボ木を用いて連結固定した床盤躯体で成る構築物の型枠躯体、該構築物の型枠躯体内へ、コンクリートを打設することで、コンクリートの凝固によって、構築物の型枠躯体とコンクリートが、一体のコンクリート構築物になることを特徴とする請求項１・2に記載の、梯子状に固定した成型部材で造るコンクリート構築物（請求項２）を提供する。
【００１２】
前記、請求項１記載の、成型用板材の板厚やセパ板の長さを調整することで、コンクリート構築物の強度に対応させることを特徴とする、請求項１〜3に記載の梯子状に固定した成型部材で造るコンクリート構築物（請求項３）を提供する。
【００１３】
前記、請求項１記載の、セパ板の固定間隔を調整することで、コンクリート構築物の強度や用途の変更に対応させることを特徴とする、請求項１〜4に記載の梯子状に固定した成型部材で造るコンクリート構築物（請求項4）を提供する。
【００１４】
前記、請求項１記載の、床盤連結板に発砲スチロールを添え貼りすることで、床盤荷重を軽減させることを特徴とする、請求項１〜5に記載の梯子状に固定した成型部材で造るコンクリート構築物（請求項5）を提供する。
【発明の効果】
【００１５】
本発明の特筆すべき大きな効果を列挙する。
イ）鉄筋工事や型枠工事を必要としない。
ロ）構造疲労や鉄筋の腐食問題は発生しない。
ハ）コンクリート量が大幅に削減できる。
二）構築物荷重を大幅に削減できる。
ホ）建設コストを大幅に削減できる。
へ）建設の工期を大幅に短縮できる。
ト）成型部材が壁内外の断熱壁となる。
チ）自然環境に優しいコンクリート構築物が容易に造れる。
【００１６】
以上で説明したように、請求項１に係る発明によれば、板材の板面に複数のホゾ穴と側面にダボ穴を設けて成る成型用板材、該成型用板材のホゾ穴に、両端にホゾ加工した複数のセパ板のホゾにくさびを添えて接着剤を塗布して差し込み、二枚の成型用板材を梯子状に圧着固定して成る梯子状の成型部材、該梯子状の成型部材のダボ穴にダボ木を用いて組み積して成る壁躯体、該壁躯体の上に、梯子状の成型部材と板材の両側面に複数のダボ穴を設けた床盤連結板を、ダボ木を用いて連結固定した床盤躯体で成る構築物の型枠躯体、該構築物の型枠躯体内へ、コンクリートを打設してコンクリート構築物を造ることで、国産木材の大量消費が可能になり疲弊する山村林業を活性化できる大きな効果が得られる。
【００１７】
請求項２に係る発明によれば、前記、請求項１記載の、板材の板面に複数のホゾ穴と側面にダボ穴を設けて成る成型用板材、該成型用板材のホゾ穴に、両端にホゾ加工した複数のセパ板のホゾにくさびを添えて接着剤を塗布して差し込み、二枚の成型用板材を梯子状に圧着固定して成る梯子状の成型部材、該梯子状の成型部材のダボ穴にダボ木を用いて組み積して成る壁躯体、該壁躯体の上に、梯子状の成型部材と板材の両側面に複数のダボ穴を設けた床盤連結板を、ダボ木を用いて連結固定した床盤躯体で成る構築物の型枠躯体、該構築物の型枠躯体内へ、コンクリートを打設することで、コンクリートの凝固によって、構築物の型枠躯体とコンクリートが、一体のコンクリート構築物になることで、最強のコンクリート構築物になる大きな効果が得られる。
【００１８】
請求項３に係る発明によれば、前記、請求項１記載の、成型用板材の板厚やセパ板の長さを調整することで、コンクリート構築物の強度に対応させることで、多種多様な強度のコンクリート構築物が容易に造れる大きな効果が得られる。
【００１９】
請求項4に係る発明によれば、前記、請求項１記載の、セパ板の固定間隔を調整することで、コンクリート構築物の強度や用途の変更に対応させることで、多種多様な強度のコンクリート構築物が容易に造れる大きな効果が得られる。
【００２０】
請求項5に係る発明によれば、前記、請求項１記載の、床盤連結板に発砲スチロールを添え貼りすることで、床盤荷重が大幅に軽減できることは特に大きな効果である。
【発明を実施するための最良の形態】
【００２１】
以下に、本発明の実施形態は添付図面を参照しつつ詳細に説明する。
【００２２】
図１は、本発明に係る高層階コンクリート構築物の断面図。図２は、低層階コンクリート構築物の断面図。図３は、高層階の壁を形成する梯子状の成型部材。図4は、低層階の壁を形成する梯子状の成型部材。図5は、高層階の床盤を形成する梯子状の成型部材。図6は、高層階の床盤を連結する床盤連結板。図7は、低層階の床盤を形成する梯子状の成型部材。図8は、低層階の床盤を連結する床盤連結板。図9は、図1のA部の拡大図。図10は、図1のB部の拡大図。図11は、図10の断面図。図12は、図2のC部の拡大図。図13は、図2のD部の拡大図。図14は、図13の断面図である。
【００２３】
本発明の実施形態を図面で説明すれば、図１は、板材1の板面に複数のホゾ穴2と側面にダボ穴3を設けて成る成型用板材4、該成型用板材4のホゾ穴2に、両端にホゾ加工した複数のセパ板5のホゾ6へ、くさび7を添えて接着剤8を塗布して差し込み、二枚の成型用板材4を梯子状に圧着固定して成る高層階の壁成型部材16でダボ木10を用いて組み積みして成る壁躯体A、該壁躯体Aの上に、高層階の床盤成型部材17と高層階の床盤連結板18をダボ木10で、連結固定して成る構築物の型枠躯体C、該構築物の型枠躯体C内へ、コンクリート12を打設して成るコンクリート構築物14の一層階を示した本発明に係る高層階コンクリート構築物の断面図である。
【００２４】
図２は、板材1の板面に複数のホゾ穴2と側面にダボ穴3を設けて成る成型用板材4、該成型用板材4のホゾ穴2に、両端にホゾ加工した複数のセパ板5のホゾ6へ、くさび7を添えて接着剤8を塗布して差し込み、二枚の成型用板材4を梯子状に圧着固定して成る低層階の壁成型部材19でダボ木10を用いて組み積みして成る壁躯体A、該壁躯体Aの上に、低層階の床盤成型部材20と低層階の床盤連結板21をダボ木10で、連結固定して成る構築物の型枠躯体C、該構築物の型枠躯体C内へ、コンクリート12を打設して成るコンクリート構築物14の一層階を示した低層階コンクリート構築物の断面図である。
【００２５】
図３は、板材1の板面に複数のホゾ穴2と側面にダボ穴3を設けて成る成型用板材4、該成型用板材4のホゾ穴2に、両端にホゾ加工した複数のセパ板5のホゾ6へ、くさび7を添えて接着剤8を塗布して差し込み、二枚の成型用板材4を梯子状に圧着固定して成る高層階の壁を形成する梯子状の成型部材である。
【００２６】
図４は、板材1の板面に複数のホゾ穴2と側面にダボ穴3を設けて成る成型用板材4、該成型用板材4のホゾ穴2に、両端にホゾ加工した複数のセパ板5のホゾ6へ、くさび7を添えて接着剤8を塗布して差し込み、二枚の成型用板材4を梯子状に圧着固定して成る低層階の壁を形成する梯子状の成型部材である。
【００２７】
図5は、板材1の板面に複数のホゾ穴2と側面にダボ穴3を設けて成る成型用板材4、該成型用板材4のホゾ穴2に、両端にホゾ加工した複数のセパ板5のホゾ6へ、くさび7を添えて接着剤8を塗布して差し込み、二枚の成型用板材4を梯子状に圧着固定して成る高層階の床盤を形成する梯子状の成型部材である。
【００２８】
図6は、板材1の板面に発砲スチロール13を貼り、側面に複数のダボ穴3を設けて成る高層階の床盤を連結する床盤連結板である。
【００２９】
図7は、板材1の板面に複数のホゾ穴2と側面にダボ穴3を設けて成る成型用板材4、該成型用板材4のホゾ穴2に、両端にホゾ加工した複数のセパ板5のホゾ6へ、くさび7を添えて接着剤8を塗布して差し込み、二枚の成型用板材4を梯子状に圧着固定して成る低層階の床盤を形成する梯子状の成型部材である。
【００３０】
図8は、板材1の側面に複数のダボ穴3を設けて成る低層階の床盤を連結する床盤連結板である。
【００３１】
図9は、図1のA部の拡大図である。
【００３２】
図10は、図1のB部の拡大図である。
【００３３】
図11は、図10の断面図である。
【００３４】
図12は、図2のC部の拡大図である。
【００３５】
図13は、図2のD部の拡大図である。
【００３６】
図14は、図13の断面図である。
【００３７】
以上、図面について説明したが、本発明は、従来の鉄筋コンクリート構築物の欠点が改善できるとともに高度な技能も必要としない、多種多様なコンクリート構築物が、多能工でも容易に且つ安価に構築できることを目的としたものである。
【００３８】
また、本発明で使用する板材やセパ材は我が国の木材を使用することから、全国市町村の疲弊する山村林業の活性化に貢献ができる。
【００３９】
高層階の壁成型部材１６の凡例：40ｍｍ×120ｍｍ×4,000ｍｍの板材1の板面に、500ｍｍ間隔にあけた30ｍｍ×30ｍｍ×30ｍｍのホゾ穴2と側面に9ｍｍφのダボ穴3を500ｍｍ間隔に設けて成る成型用板材4、該成型用板材4のホゾ穴2に、両端にホゾ加工した30ｍｍ×60ｍｍ×200ｍｍのセパ板5のホゾ6に、くさび7を添えて接着剤8を塗布して差し込み、二枚の成型用板材4を梯子状に圧着固定して成る図3に示す高層階の壁成型部材16。
【００４０】
高層階の床盤成型部材１７の凡例：40ｍｍ×120ｍｍ×4,000ｍｍの板材1の板面に、400ｍｍ間隔にあけた30ｍｍ×30ｍｍ×30ｍｍのホゾ穴2と側面に9ｍｍφのダボ穴3を400ｍｍ間隔に設けて成る成型用板材4、該成型用板材4のホゾ穴2に、両端にホゾ加工した30ｍｍ×120ｍｍ×160ｍｍのセパ板5のホゾ6に、くさび7を添えて接着剤8を塗布して差し込み、二枚の成型用板材4を梯子状に圧着固定して成る図5に示す高層階の床盤成型部材17。
【００４１】
高層階の床盤連結板１８の凡例：40ｍｍ×120ｍｍ×4,000ｍｍの板材1の板面に、100ｍｍ×100ｍｍ×4,000ｍｍの発砲スチロール13を貼り、側面に9ｍｍφのダボ穴3を400ｍｍ間隔に設けて成る図6に示す高層階の床盤連結板18。
【００４２】
低層階の壁成型部材１９の凡例：30ｍｍ×120ｍｍ×4,000ｍｍの板材1の板面に、500ｍｍ間隔にあけた30ｍｍ×30ｍｍ×20ｍｍのホゾ穴2と側面に9ｍｍφのダボ穴3を500ｍｍ間隔に設けて成る成型用板材4、該成型用板材4のホゾ穴2に、両端にホゾ加工した30ｍｍ×60ｍｍ×120ｍｍのセパ板5のホゾ6に、くさび7を添えて接着剤8を塗布して差し込み、二枚の成型用板材4を梯子状に圧着固定して成る図4に示す低層階の壁成型部材19。
【００４３】
低層階の床盤成型部材２０の凡例：30ｍｍ×120ｍｍ×4,000ｍｍの板材1の板面に、400ｍｍ間隔にあけた30ｍｍ×30ｍｍ×20ｍｍのホゾ穴2と側面に9ｍｍφのダボ穴3を400ｍｍ間隔に設けて成る成型用板材4、該成型用板材4のホゾ穴2に、両端にホゾ加工した30ｍｍ×120ｍｍ×90ｍｍのセパ板5のホゾ6に、くさび7を添えて接着剤8を塗布して差し込み、二枚の成型用板材4を梯子状に圧着固定して成る図7に示す低層階の床盤成型部材20。
【００４４】
低層階の床盤連結板２１の凡例：30ｍｍ×120ｍｍ×4,000ｍｍの板材1の側面に9ｍｍφのダボ穴3を400ｍｍ間隔に設けて成る図8に示す低層階の床盤連結板21。
【実施例１】
【００４５】
「高層階コンクリート構築物の実施例」
図１を参照に、凡例の高層階の壁成型部材16でダボ木10を用いて、23段組み積みして成る壁躯体A、該壁躯体Aの上に、凡例の高層階の床盤成型部材17と高層階の床盤連結板18をダボ木10で、連結固定して成る構築物の型枠躯体C内へ、コンクリート12を打設して成る一層階を連続して構築することで、高層階コンクリート構築物を構築する。他方、高層階コンクリート構築物とは、一般事務所ビルから高層ビル等多種多様な構築物が該当する。
【実施例２】
【００４６】
「低層階コンクリート構築物の実施例」
図2を参照に、凡例の低層階の壁成型部材19でダボ木10を用いて、23段組み積みして成る壁躯体A、該壁躯体Aの上に、凡例の低層階の床盤成型部材20と低層階の床盤連結板21をダボ木10で、連結固定して成る一層階を三層階に連結して成る三層階の構築物の型枠躯体C内へ、コンクリート12を三層階同時に打設して、低層階コンクリート構築物を構築する。他方、低層階コンクリート構築物とは、一般住宅や賃貸・分譲住宅等多種多様な構築物が該当する。
【００４７】
なお、この発明において、実施例や図面に示した寸法や各部材は、一例を示したものであり、同様の機能を果たす公知の他の寸法部材に置き換えることは可能である。例えば、成型用板材の板厚やセパ板の寸法は強度によって自由に設定できる。また、梯子状に固定した成型部材の大きさも自由に設定ができる。さらに、木材に代わる材料など強度が得られるものであれば発明を支障なく実施することができる。
【産業上の利用可能性】
【００４８】
現在、高層ビルを木造で造る時代が到来するなかで、国産木材が大量に消費ができるＣＬＴを推進する国家プロジェクトが始動しているが、ＣＬＴを消費する市場や環境を整えるには長い年月が必要である。さらに、伐採適齢期を迎えている戦後に植栽された杉や檜の植樹林は、外国産木材によって間伐放棄・森林放棄されて、国産木材の価値は下がり利用されていないのが現状である。しかしながら、国土の63％を占めている森林の木材は植栽と植樹を繰り返すことで、尽きることのない我が国の大切な資源であり、国産木材を消費拡大することは行政の重要課題であるとともに、地方創成の要であることは周知の通りである。
本発明の梯子状に固定した成型部材で造るコンクリート構築物の、成型部材は国産木材を主材としたもので、成型部材で造るコンクリート構築物が普及することによって、疲弊する山村林業の活性化に貢献できる。さらに、本発明によって、地震・津浪・火災・水害・台風等々の自然災害に耐える、コンクリート住宅や多種多様なコンクリート構築物が、安価且つ容易に造れることから我が国の防災化に大きく貢献できる。
【図面の簡単な説明】
【００４９】
【図１】本発明に係る高層階コンクリート構築物の断面図。
【図２】低層階コンクリート構築物の断面図。
【図３】高層階の壁を形成する梯子状の成型部材。
【図４】低層階の壁を形成する梯子状の成型部材。
【図５】高層階の床盤を形成する梯子状の成型部材。
【図６】高層階の床盤を連結する床盤連結板。
【図７】低層階の床盤を形成する梯子状の成型部材。
【図８】低層階の床盤を連結する床盤連結板。
【図９】図1のA部の拡大図。
【図１０】図1のB部の拡大図。
【図１１】図10の断面図。
【図１２】図2のC部の拡大図。
【図１３】図2のD部の拡大図。
【図１４】図13の断面図である。
【符号の説明】
【００５０】
１．    板材
２．    ホゾ穴
３．    ダボ穴
４．    成型用板材
５．    セパ板
６．    ホゾ
７．    くさび
８．    接着剤
９．    梯子状の成型部材
１０．  ダボ木
１１．  床盤連結板
１２．  コンクリート
１３．  発砲スチロール
１４．  コンクリート構築物
１５．  コンクリート鏝押え
１６．  高層階の壁成型部材
１７．  高層階の床盤成型部材
１８．  高層階の床盤連結板
１９．  低層階の壁成型部材
２０．  低層階の床盤成型部材
２１．  低層階の床盤連結板
A、壁躯体
B、床盤躯体
C、構築物の型枠躯体
【図１】
2020139353.tif 000003
【図２】
2020139353.tif 000004
【図３】
2020139353.tif 000005
【図４】
2020139353.tif 000006
【図５】
2020139353.tif 000007
【図６】
2020139353.tif 000008
【図７】
2020139353.tif 000009
【図８】
2020139353.tif 000010
【図９】
2020139353.tif 000011
【図１０】
2020139353.tif 000012
【図１１】
2020139353.tif 000013
【図１２】
2020139353.tif 000014
【図１３】
2020139353.tif 000015
【図１４】
2020139353.tif 000016
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設して無筋コンクリート構築物を造ることを特徴とする、梯子状に固定した成型部材で造るコンクリート構築物。
【請求項２】
板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設することで、構築物の型枠躯体が鉄筋の役割を成し、コンクリートの凝固によって、構築物の型枠躯体とコンクリートが、一体の無筋コンクリート構築物が得られることを特徴とする、梯子状に固定した成型部材で造るコンクリート構築物。
【請求項３】
板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設することで、構築物の型枠躯体が断熱材の役割を成し、コンクリートの凝固によって、構築物の型枠躯体で室内外断熱が得られることを特徴とする、請求項１又は2に記載の梯子状に固定した成型部材で造るコンクリート構築物。
【請求項４】
成型用板材の板厚や壁用板セパ又は床盤用板セパの長さを調整することで、無筋コンクリート構築物の強度に対応させることを特徴とする、請求項１〜3のいずれかに記載の梯子状に固定した成型部材で造るコンクリート構築物。
【請求項５】
壁用板セパ又は床盤用板セパの固定間隔を調整することで、無筋コンクリート構築物の強度や用途の変更に対応させることを特徴とする、請求項１〜4のいずれかに記載の梯子状に固定した成型部材で造るコンクリート構築物。
【請求項６】
床盤躯体を構成する板材に発砲スチロールを添え貼りすることで、床盤荷重を軽減させることを特徴とする、請求項１〜5のいずれかに記載の梯子状に固定した成型部材で造るコンクリート構築物。
【手続補正２】
【補正対象書類名】明細書
【補正対象項目名】全文
【補正方法】変更
【補正の内容】
【発明の詳細な説明】
【技術分野】
【０００１】
本発明は、梯子状に固定した成型部材で造るコンクリート構築物に関する。
【背景技術】
【０００２】
従来のコンクリート構築物は、鉄筋を組んだ型枠内にコンクリートを投入して造る鉄筋コンクリート構築物が支流である。
【０００３】
鉄筋コンクリートの構築物は、ベニヤ型枠を補助桟や仮設材で組固めた型枠躯体内へコンクリートを投入して、コンクリートの凝固後に型枠を解体して鉄筋コンクリート構築物は造られていた。解体したベニヤ型枠や仮設材等は再利用されている。
【０００４】
型枠を解体した、鉄筋コンクリート構築物の外壁は、大半が磁器タイルを貼って仕上げているのが現状である。
【先行技術文献】
【特許文献】
【０００５】
【特許文献１】特許第5315498号
【０００６】
【非特許文献１】無し
【発明の開示】
【発明が解決しようとする課題】
【０００７】
在来工法の鉄筋コンクリート構築物には次の問題があった。
〇鉄筋のかぶり厚で柱や梁の断面が増大してコンクリート荷重が増大する不合理な問題。
〇鉄筋のかぶり厚不足や自然災害等に伴うコンクリートの亀裂による鉄筋の腐食の問題。
〇鉄筋の配筋ミスや配筋不良に伴う強度不足や鉄筋工職人不足等に伴う工期の遅延問題。
〇外壁を磁器タイル貼りで仕上げたコンクリート構築物のタイルが剥離する落下の問題。
〇鉄筋コンクリート構造の最大の問題は複雑な工程に伴う長い工期と高コストな建設費。
【０００８】
近年、鉄筋コンクリート構築物の外壁に貼っている磁器タイルが、タイル貼りモルタルの劣化等によって、タイルが剥離して落下する事例が多く発生している。このタイルの落下問題は深刻で、今後、鉄筋コンクリート構築物の外装仕上げ材の選択は困難である。他方、自動社会に於いて、鉄筋コンクリート構造の建物や高速道路等高架橋の構造疲労や自然災害等に伴う亀裂で鉄筋が腐食する問題は特に深刻である。
【０００９】
本発明は、上記の課題に鑑みて、コンクリート構築物の仕上げ材の剥離問題や鉄筋の腐食問題等上記の問題が解決できる。鉄筋に代わる梯子状の成型部材で構築する構築物の型枠躯体内へコンクリートを打設して造る、梯子状に固定した成型部材で造るコンクリート構築物を提供するものである。
【課題を解決するための手段】
【００１０】
この発明は、上記の課題を解決するためになされたもので、板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設して無筋コンクリート構築物を造ることを特徴とする、梯子状に固定した成型部材で造るコンクリート構築物（請求項１）を提供する。
【００１１】
板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設することで、構築物の型枠躯体が鉄筋の役割を成し、コンクリートの凝固によって、構築物の型枠躯体とコンクリートが、一体の無筋コンクリート構築物が得られることを特徴とする、梯子状に固定した成型部材で造るコンクリート構築物（請求項２）を提供する。
【００１２】
板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設することで、構築物の型枠躯体が断熱材の役割を成し、コンクリートの凝固によって、構築物の型枠躯体で室内外断熱が得られることを特徴とする、請求項１又は2に記載の梯子状に固定した成型部材で造るコンクリート構築物（請求項３）を提供する。
【００１３】
成型用板材の板厚や壁用板セパ又は床盤用板セパの長さを調整することで、無筋コンクリート構築物の強度に対応させることを特徴とする、請求項１〜3のいずれかに記載の梯子状に固定した成型部材で造るコンクリート構築物（請求項4）を提供する。
【００１４】
壁用板セパ又は床盤用板セパの固定間隔を調整することで、無筋コンクリート構築物の強度や用途の変更に対応させることを特徴とする、請求項１〜4のいずれかに記載の梯子状に固定した成型部材で造るコンクリート構築物（請求項5）を提供する。
【００１５】
床盤躯体を構成する板材に発砲スチロールを添え貼りすることで、床盤荷重を軽減させることを特徴とする、請求項１〜5のいずれかに記載の梯子状に固定した成型部材で造る無筋コンクリート構築物（請求項6）を提供する。
【発明の効果】
【００１６】
本発明の特筆すべき大きな効果を列挙する。
イ）鉄筋工事や型枠工事を必要としない。
ロ）構造疲労や鉄筋の腐食問題は発生しない。
ハ）コンクリート量が大幅に削減できる。
二）構築物荷重を大幅に削減できる。
ホ）建設コストを大幅に削減できる。
へ）建設の工期を大幅に短縮できる。
ト）成型部材が壁内外の断熱材となり断熱壁となる。
チ）外壁の成型部材が断熱材となり自然環境に優しい地球温暖化防止構築物となる。
【００１７】
本発明で容易且つ低価格で造れる構築物を列挙する。
イ）各種無筋コンクリート板塀。
ロ）各種無筋コンクリートミニハウス。
ハ）各種避難シェルター。
二）各種無筋コンクリート住宅。
ホ）各種低層階賃貸分譲無筋コンクリート住宅。
へ）各種高層階賃貸分譲無筋コンクリート住宅。
ト）無筋コンクリート高架橋や高速道路。
チ）無筋コンクリート林道。
リ）無筋コンクリート擁壁。
ヌ）無筋コンクリート貯水槽。
ル）その他いろいろな構築物が構築できる。
【００１８】
以上で説明したように、請求項１に係る発明によれば、板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設して無筋コンクリート構築物を造ることで、国産木材の大量消費が可能になり疲弊する山村林業を活性化できる大きな効果が得られる。
【００１９】
請求項２に係る発明によれば、板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設することで、構築物の型枠躯体が鉄筋の役割を成し、コンクリートの凝固によって、構築物の型枠躯体とコンクリートが、一体の無筋コンクリート構築物が得られることで、最強のコンクリート構築物になる大きな効果が得られる。
【００２０】
請求項３に係る発明によれば、板材の板面に蟻溝を設けた成型用板材を、間隔を開けて2枚を並置して、成型用板材の蟻溝に、両端に蟻ホゾ加工した複数の壁用板セパを均等間隔に差し込み、梯子状に組固定して成る梯子状の壁成型部材、該梯子状の壁成型部材を用いて組積固定して成る壁躯体、該壁躯体の上に、間隔を開けて並置した2枚の成型用板材の蟻溝に、両端に蟻ホゾ加工した複数の床盤用板セパを均等間隔に差し込み、梯子状に組固定して成る梯子状の床盤成型部材、該梯子状の床盤成型部材と板材を、交互に並置してビスを用いて連結固定して成る床盤躯体で構築物の型枠躯体を成し、該構築物の型枠躯体内へ、コンクリートを打設することで、構築物の型枠躯体が断熱材の役割を成し、コンクリートの凝固によって、構築物の型枠躯体で室内外断熱が得られることで、温暖地や寒冷地全国何処にでも、同一工法で建設ができる効果は多大である。
【００２１】
請求項4に係る発明によれば、成型用板材の板厚や壁用板セパ又は床盤用板セパの長さを調整することで、無筋コンクリート構築物の強度に対応させることで、多種多様な強度のコンクリート構築物が容易に造れる大きな効果が得られる。
【００２２】
請求項5に係る発明によれば、壁用板セパ又は床盤用板セパの固定間隔を調整することで、無筋コンクリート構築物の強度や用途の変更に対応させることで、多種多様な強度のコンクリート構築物が容易に造れる大きな効果が得られる。
【００２３】
請求項6に係る発明によれば、床盤躯体を構成する板材に発砲スチロールを添え貼りすることで、床盤荷重を軽減させることで、無筋コンクリート構築物の床盤荷重が軽減できる効果は多大である。
【発明を実施するための最良の形態】
【００２４】
以下に、本発明の実施形態は添付図面を参照しつつ詳細に説明する。
【００２５】
図１は、本発明に係る高層階コンクリート構築物の断面図。図２は、低層階コンクリート構築物の断面図。図３は、高層階の壁を形成する梯子状の成型部材。図4は、低層階の壁を形成する梯子状の成型部材。図5は、高層階の床盤を形成する梯子状の成型部材。図6は、高層階の床盤を連結する床盤連結板。図7は、低層階の床盤を形成する梯子状の成型部材。図8は、成型用板材。図9は、図1のA部の拡大図。図10は、図1のB部の拡大図。図11は、図10の断面図。図12は、図2のC部の拡大図。図13は、図2のD部の拡大図。図14は、図13の断面図。図15は、図3端部の拡大図。図16は、図4端部の拡大図。図17は、図5端部の拡大図。図18は、図6端部の拡大図。図19は、図7端部の拡大図。図20は、図8端部の拡大図。図21は、図3の壁用板セパ。図22は、図4の壁用板セパ。図23は、図5の床盤用板セパ。図24は、図7の床盤用板セパである。
【００２６】
本発明の実施形態を図面で説明すれば、図１は、板材1の板面に蟻溝2を設けた成型用板材3を、間隔を開けて2枚を並置して、成型用板材3の蟻溝2に、両端に蟻ホゾ4加工した複数の壁用板セパ5を均等間隔に差し込み、梯子状に組固定して成る梯子状の壁成型部材6、該梯子状の壁成型部材6を用いて組積固定して成る壁躯体A、該壁躯体Aの上に、間隔を開けて並置した2枚の成型用板材3の蟻溝2に、両端に蟻ホゾ4加工した複数の床盤用板セパ7を均等間隔に差し込み、梯子状に組固定して成る梯子状の床盤成型部材8、該梯子状の床盤成型部材8と板材1を、交互に並置してビス9を用いて連結固定して成る床盤躯体Bで構築物の型枠躯体Cを成し、該構築物の型枠躯体C内へ、コンクリート10を打設してなる、無筋コンクリート構築物11の一層階を示した本発明に係る高層階コンクリート構築物の断面図である。
【００２７】
図２は、板材1の板面に蟻溝2を設けた成型用板材3を、間隔を開けて2枚を並置して、成型用板材3の蟻溝2に、両端に蟻ホゾ4加工した複数の壁用板セパ5を均等間隔に差し込み、梯子状に組固定して成る梯子状の壁成型部材6、該梯子状の壁成型部材6を用いて組積固定して成る壁躯体A、該壁躯体Aの上に、間隔を開けて並置した2枚の成型用板材3の蟻溝2に、両端に蟻ホゾ4加工した複数の床盤用板セパ7を均等間隔に差し込み、梯子状に組固定して成る梯子状の床盤成型部材8、該梯子状の床盤成型部材8と板材1を、交互に並置してビス9を用いて連結固定して成る床盤躯体Bで構築物の型枠躯体Cを成し、該構築物の型枠躯体C内へ、コンクリート10を打設してなる、無筋コンクリート構築物11の一層階を示した本発明に係る低層階コンクリート構築物の断面図である。
【００２８】
図３は、板材1の板面に蟻溝2を設けた成型用板材3を、間隔を開けて2枚を並置して、成型用板材3の蟻溝2に、両端に蟻ホゾ4加工した複数の図4の壁用板セパ5を均等間隔に差し込み、梯子状に組固定して成る梯子状の壁成型部材6、該梯子状の壁成型部材6を用いて組積固定して成る高層階の壁を形成する梯子状の成型部材である。
【００２９】
図４は、板材1の板面に蟻溝2を設けた成型用板材3を、間隔を開けて2枚を並置して、成型用板材3の蟻溝2に、両端に蟻ホゾ4加工した複数の図3の壁用板セパ5を均等間隔に差し込み、梯子状に組固定して成る梯子状の壁成型部材6、該梯子状の壁成型部材6を用いて組積固定して成る低層階の壁を形成する梯子状の成型部材である。
【００３０】
図5は、間隔を開けて並置した2枚の成型用板材3の蟻溝2に、両端に蟻ホゾ4加工した図5の床盤用板セパ7を均等間隔に複数差し込み、梯子状に組固定して成る高層階の床盤を形成する梯子状の成型部材である。
【００３１】
図6は、板材1の板面に発砲スチロール13を貼った、高層階の床盤を連結する床盤連結板である。
【００３２】
図7は、間隔を開けて並置した2枚の成型用板材3の蟻溝2に、両端に蟻ホゾ4加工した図7の床盤用板セパ7を均等間隔に複数差し込み、梯子状に組固定して成る低層階の床盤を形成する梯子状の成型部材である。
【００３３】
図8は、板材1の板面に蟻溝2を設けた成型用板材3である。
【００３４】
図9は、図1のA部の拡大図である。
【００３５】
図10は、図1のB部の拡大図である。
【００３６】
図11は、図10の断面図である。
【００３７】
図12は、図2のC部の拡大図である。
【００３８】
図13は、図2のD部の拡大図である。
【００３９】
図14は、図13の断面図である。
【００４０】
図15は、図3端部の拡大図である。
【００４１】
図16は、図4端部の拡大図である。
【００４２】
図17は、図5端部の拡大図である。
【００４３】
図18は、図6端部の拡大図である。
【００４４】
図19は、図7端部の拡大図である。
【００４５】
図20は、図8端部の拡大図である。
【００４６】
図21は、図3の壁用板セパである。
【００４７】
図22は、図4の壁用板セパである。
【００４８】
図23は、図5の床盤用板セパである。
【００４９】
図24は、図7の床盤用板セパである。
【００５０】
以上、図面について説明したが、本発明は、従来の鉄筋コンクリート構築物の欠点が改善できるとともに高度な技能を必要とすることなく、多種多様な無筋コンクリート構築物が、多能工でも容易に且つ安価に構築できることを目的としたものである。
【００５１】
また、本発明で使用する板材やセパ材は我が国の木材を使用することから、全国市町村の疲弊する山村林業の活性化に貢献ができる。
【凡例】
【００５２】
高層階の壁成型部材15の凡例：40ｍｍ×120ｍｍ×4,000ｍｍの板材1の板面に蟻溝2を設けた成型用板材3を、200ｍｍの間隔を開けて2枚を並置して、成型用板材3の蟻溝2に、両端に蟻ホゾ4加工した8個の30ｍｍ×60ｍｍ×200ｍｍの壁用板セパ5を500ｍｍ間隔に差し込み、梯子状に組固定して成る図3に示す高層階の壁成型部材15。
【００５３】
高層階の床盤成型部材16の凡例：40ｍｍ×120ｍｍ×4,000ｍｍの板材1の板面に、蟻溝2を設けた成型用板材3を160ｍｍの間隔を開けて並置して、2枚の成型用板材3の蟻溝2に、両端に蟻ホゾ4加工した10個の30ｍｍ×120ｍｍ×160ｍｍの床盤用板セパ7を400ｍｍ間隔に差し込み、梯子状に組固定して成る梯子状の床盤成型部材16、
【００５４】
高層階の床盤連結板12の凡例：40ｍｍ×120ｍｍ×4,000ｍｍの板材1の板面に、100ｍｍ×100ｍｍ×4,000ｍｍの発砲スチロール13を貼って成る高層階の床盤連結板17。
【００５５】
低層階の壁成型部材18の凡例：30ｍｍ×120ｍｍ×1,500ｍｍの板材1の板面に蟻溝2を設けた成型用板材3を、100ｍｍの間隔を開けて2枚を並置して、成型用板材3の蟻溝2に、両端に蟻ホゾ4加工した3個の30ｍｍ×60ｍｍ×100ｍｍの壁用板セパ5を500ｍｍ間隔に差し込み、梯子状に組固定して成る図4に示す低層階の壁成型部材18。
【００５６】
低層階の床盤成型部材19の凡例：30ｍｍ×120ｍｍ×3,000ｍｍの板材1の板面に、蟻溝2を設けた成型用板材3を100ｍｍの間隔を開けて並置して、2枚の成型用板材3の蟻溝2に、両端に蟻ホゾ4加工した7個の30ｍｍ×120ｍｍ×100ｍｍの床盤用板セパ7を400ｍｍ間隔に差し込み、梯子状に組固定して成る梯子状の床盤成型部材19、
【実施例１】
【００５７】
「高層階コンクリート構築物の実施例」
図１を参照に、凡例の高層階の壁成型部材15を23段組積固定して成る壁躯体A、該壁躯体Aの上に、凡例の高層階の床盤成型部材16と高層階の床盤連結板17をビス9で、連結固定して成る構築物の型枠躯体C内へ、コンクリート10を打設して成る一層階を連続して構築することで、高層階無筋コンクリート構築物を構築する。他方、高層階無筋コンクリート構築物とは、一般事務所ビルから高層ビル等多種多様な構築物が該当する。
【実施例２】
【００５８】
「低層階コンクリート構築物の実施例」
図2を参照に、凡例の低層階の壁成型部材18を用いて、23段組積固定して成る壁躯体A、該壁躯体Aの上に、凡例の低層階の床盤成型部材19と低層階の床盤連結板20をビス9で、連結固定して成る一層階を三層階に連結して成る三層階の構築物の型枠躯体C内へ、コンクリート10を三層階同時に打設して、低層階無筋コンクリート構築物を構築する。他方、低層階無筋コンクリート構築物とは、一般住宅や賃貸・分譲住宅等多種多様な構築物が該当する。
【００５９】
なお、この発明において、凡例や実施例に示した寸法は、一例を示したものであり、他の寸法に置き換えることは可能である。例えば、成型用板材の長さや板厚、さらにセパ板の寸法は強度によって自由に設定できる。また、梯子状に固定した成型部材の大きさも自由に設定ができる。さらに、木材に代わる材料など強度が得られるものであれば発明を支障なく実施することができる。
【産業上の利用可能性】
【００６０】
現在、高層ビルを木造で造る時代が到来するなかで、国産木材が大量に消費ができるＣＬＴを推進する国家プロジェクトが始動しているが、ＣＬＴを消費する市場や環境を整えるには長い年月が必要である。さらに、伐採適齢期を迎えている戦後に植栽された杉や檜の植樹林は、外国産木材によって間伐放棄・森林放棄されて、国産木材の価値は下がり利用されていないのが現状である。しかしながら、国土の63％を占めている森林の木材は植栽と植樹を繰り返すことで、尽きることのない我が国の大切な宝の資源であり、国産木材を消費拡大することは行政の重要課題であるとともに、地方創成の要であることは周知の通りである。
本発明の梯子状に固定した成型部材で造る無筋コンクリート構築物の、成型部材は国産木材を主材としたもので、成型部材で造る無筋コンクリート構築物が普及することによって、疲弊する山村林業の活性化に貢献できる。さらに、本発明によって、地震・津浪・火災・水害・台風等々の自然災害に耐える、無筋のコンクリート住宅や多種多様な無筋のコンクリート構築物が、安価且つ容易に造れることから我が国の防災化に大きく貢献できる。他方、外壁の成型部材が断熱材となり自然環境に優しい地球温暖化防止構築物となる。
【図面の簡単な説明】
【００６１】
【図１】本発明に係る高層階コンクリート構築物の断面図。
【図２】低層階コンクリート構築物の断面図。
【図３】高層階の壁を形成する梯子状の成型部材。
【図４】低層階の壁を形成する梯子状の成型部材。
【図５】高層階の床盤を形成する梯子状の成型部材。
【図６】高層階の床盤を連結する床盤連結板。
【図７】低層階の床盤を形成する梯子状の成型部材。
【図８】成型用板材。
【図９】図1のA部の拡大図。
【図１０】図1のB部の拡大図。
【図１１】図10の断面図。
【図１２】図2のC部の拡大図。
【図１３】図2のD部の拡大図。
【図１４】図13の断面図。
【図１５】図3端部の拡大図。
【図１６】図4端部の拡大図。
【図１７】図5端部の拡大図。
【図１８】図6端部の拡大図。
【図１９】図7端部の拡大図。
【図２０】図8端部の拡大図。
【図２１】図3の壁用板セパ。
【図２２】図4の壁用板セパ。
【図２３】図5の床盤用板セパ。
【図２４】図7の床盤用板セパである。
【符号の説明】
【００６２】
・  板材
・  蟻溝
・  成型用板材
・  蟻ホゾ
・  壁用板セパ
・  梯子状の壁成型部材
・  床盤用板セパ
・  梯子状の床盤成型部材
・  ビス
・  コンクリート
・  無筋コンクリート構築物
・  床盤連結板
・  発砲スチロール
・  コンクリート鏝押え
・  高層階の壁成型部材
・  高層階の床盤成型部材
・  高層階の床盤連結板
・  低層階の壁成型部材
・  低層階の床盤成型部材
・  低層階の床盤連結板
A、壁躯体
B、連結床盤
C、構築物の型枠躯体
【手続補正３】
【補正対象書類名】図面
【補正対象項目名】全図
【補正方法】変更
【補正の内容】
【図１】
2020139353.tif 000017
【図２】
2020139353.tif 000018
【図３】
2020139353.tif 000019
【図４】
2020139353.tif 000020
【図５】
2020139353.tif 000021
【図６】
2020139353.tif 000022
【図７】
2020139353.tif 000023
【図８】
2020139353.tif 000024
【図９】
2020139353.tif 000025
【図１０】
2020139353.tif 000026
【図１１】
2020139353.tif 000027
【図１２】
2020139353.tif 000028
【図１３】
2020139353.tif 000029
【図１４】
2020139353.tif 000030
【図１５】
2020139353.tif 000031
【図１６】
2020139353.tif 000032
【図１７】
2020139353.tif 000033
【図１８】
2020139353.tif 000034
【図１９】
2020139353.tif 000035
【図２０】
2020139353.tif 000036
【図２１】
2020139353.tif 000037
【図２２】
2020139353.tif 000038
【図２３】
2020139353.tif 000039
【図２４】
2020139353.tif 000040